(57)【要約】【課題】風によって樹木が繰り返し横揺れしたときでも、また根鉢の土が弱くなったときでも樹木を強固に支持する植樹の支持施工方法を提供することを目的とする。【解決手段】根鉢１を有する樹木１０を植穴３に植える植樹の支持施工方法であって、根鉢１から樹木１０の主根２を露出させる第１工程と、杭４を植穴３に打ち込む第２工程と、主根２を杭４に結束する第３工程と、を有する。【選択図】図１
2018174817.tif 000002
【特許請求の範囲】
【請求項１】
根鉢を有する樹木を植穴に植える植樹の支持施工方法であって、
前記根鉢から前記樹木の主根を露出させる第１工程と、
杭を前記植穴に打ち込む第２工程と、
前記主根を前記杭に結束する第３工程と、
を有することを特徴とする植樹の支持施工方法。
【請求項２】
前記杭に前記主根が係合する切欠きを設けることを特徴とする請求項１に記載の植樹の支持施工方法。
【請求項３】
前記杭の植穴部分に杭の軸と交差する１以上の横溝を形成することを特徴とする請求項１に記載の植樹の支持施工方法。
【請求項４】
前記第２工程における前記杭は、斜め方向に杭打ちされることを特徴とする請求項１に記載の植樹の支持施工方法。
【請求項５】
前記斜め方向に杭打ちされる前記杭は、前記樹木の中心から離間する方向に杭打ちされることを特徴とする請求項４に記載の植樹の支持施工方法。
【発明の詳細な説明】
【技術分野】
【０００１】
本発明は、樹木の根鉢を植える植樹の支持施工方法に関するものである。
【背景技術】
【０００２】
種や苗木から自然に成長した樹木は、その成長に伴い、土中に根を張りめぐらすので、十分な自己支持力を備えている。これに対して、公園、舗道、庭等人為的に植樹される樹木は地面に植穴を掘削し、この植穴に樹木の根鉢を設置し、植穴を土砂により埋め戻される。したがって、風や地震により横揺れすると、根鉢が植穴の内部で動くため、根鉢から張り出しつつある成長途上の細根が分断され、その結果、枯れてしまうことがある。
【０００３】
このような弊害を防止するための簡便な方法は、植樹された樹木を樹木周辺の地表に木製の支柱（たとえば、鳥居支柱）により支持する方法である。しかしながら、このような地上に設置する支柱は、樹木に対して紐等により縛りつけられるため、樹木が成長して太くなるに伴い、縛りつけた紐等が樹木の表面に食い込むという問題、通行人等の往来の邪魔になるという問題、人工的な感じを与えるので自然景観を損なうという問題、朽ちた地表の支柱は見苦しく、その片付け作業も余儀なくされて手間が増大するという問題があった。
【０００４】
そこで、樹木を地下で支持する種々の地下支柱方式が考えられた。たとえば、特許文献１の図１、図７には根鉢を貫通する杭が示されている。特許文献２の図６には根鉢の底部に架台が組まれ、その櫓に根鉢が保持されることが示されている。特許文献３の図８には根鉢の底部の架台が杭で支持されることが示されている。
【先行技術文献】
【特許文献】
【０００５】
【特許文献１】特開平５−４１９２８号公報
【特許文献２】特開平１０−１４４１４号公報
【特許文献３】特開平１１−３１３５６３号公報
【発明の概要】
【発明が解決しようとする課題】
【０００６】
しかしながら、植樹における特許文献１〜３の樹木の支持方法はいずれも土を含んだ根鉢を支持する方法であった。したがって、風で樹木が繰り返し揺れ動くと、根鉢の土と樹木の幹や主根との間の隙間が次第に大きくなっていく。たとえば、抜け難い杭を抜こうとするときに杭を四方八方にゆする動作の如く、風による揺れが繰り返されると樹木の揺れが大きくなって、細根が次第に分断され、細根からの栄養補給が減少して樹木が弱っていく。
【０００７】
また、根鉢で根巻きをするのは、根鉢が崩れて根が切れたり隙間ができたりすることで根が栄養を吸収できなくなることを防ぐための一次的な保持であり、根鉢に巻かれている麻紐、麻布、シュロ縄はいずれ微生物などによって腐り根鉢の保持をしなくなる。また、豪雨のときや周囲がコンクリートやタイルの場合は雨水が根鉢に多く侵入して根鉢の土が弱くなる。このために特に暴風雨のときには根鉢の土が弱くなった状態で樹木が暴風を受け、根が分断したり、倒壊したりする危険性がある。
【０００８】
そこで本発明は、風によって樹木が繰り返し横揺れしたときでも、また根鉢の土が弱くなったときでも樹木を強固に支持する植樹の支持施工方法を提供することを目的とする。
【課題を解決するための手段】
【０００９】
上記課題を解決するため、本発明の一つの態様に係る植樹の支持施工方法は、根鉢を有する樹木を植穴に植える植樹の支持施工方法であって、前記根鉢から前記樹木の主根を露出させる第１工程と、杭を前記植穴に打ち込む第２工程と、前記主根を前記杭に結束する第３工程と、を有することを特徴とする。
【００１０】
これにより、直接主根を杭で支持するので、根鉢の土が弱くなっても、その影響を低減することができる。なお、根鉢から樹木の主根を露出させる第１工程と、杭を植穴に打ち込む第２工程とは、順番が逆であってもよい。例えば、根鉢を植穴に設置して、第２工程である杭を植穴に打ち込み、その後で第１工程である根鉢から主根を露出させる順番とすることもできる。
また、本発明の植樹の支持施工方法においては、前記杭に前記主根が係合する切欠きを設けることが好ましい。
これにより、主根が杭から外れ難く、主根をより強固に杭に結束することができる。
また、本発明の植樹の支持施工方法においては、前記杭の植穴部分に杭の軸と交差する１以上の横溝を形成することが好ましい。
溝により、杭が抜け難くなる。たとえば、円弧の切欠きでは３〜５倍抜け難くなる。
また、本発明の植樹の支持施工方法においては、前記第２工程における前記杭は、斜め方向に杭打ちされることを特徴とする。
これにより、垂直方向に杭打ちされた場合に比べ、より強固に樹木を支持することができる。
また、樹木の種類や植樹の場所によっては、前記斜め方向に杭打ちされる前記杭は、前記樹木の中心から離間する方向とすることができる。
【図面の簡単な説明】
【００１１】
【図１】本発明の第１実施形態に係る植樹の支持施工方法の主要な工程を示すフローチャートである。
【図２】本発明の第１実施形態に係る植樹の支持施工方法の平面図である。
【図３】第１実施形態の正面の一部断面図である。
【図４】第１実施形態の正面図である。
【図５】第１実施形態の杭の変形例を示す正面図である。
【図６】第２実施形態の平面図である。
【図７】第２実施形態の正面の一部断面図である。
【図８】第３実施形態の正面の一部断面図である。
【図９】第４実施形態の平面図である。
【図１０】第４実施形態の正面の一部断面図である。
【図１１】第４実施形態の植樹の支持施工方法を実践した写真である。
【発明を実施するための形態】
【００１２】
以下、実施形態及び図面を参照にして本発明を実施するための形態を説明するが、以下に示す実施形態は、本発明をここに記載したものに限定することを意図するものではなく、本発明は特許請求の範囲に示した技術思想を逸脱することなく種々の変更を行ったものにも均しく適用し得るものである。なお、この明細書における説明のために用いられた各図面においては、各部材を図面上で認識可能な程度の大きさとするため、各部材毎に縮尺を異ならせて表示しており、必ずしも実際の寸法に比例して表示されているものではない。
【００１３】
［第１実施形態］
図１〜図４を用いて、第１実施形態の植樹の支持施工方法を説明する。第１実施形態の植樹の支持施工方法は、根巻きされた根鉢１の樹木１０を掘削された植穴３に地下支持で植樹する施工方法である。図１は主要な工程のみを記すフローチャートであり、図２は平面図であり、図３は正面の一部断面図である。
なお、第１実施形態における植樹の支持施工方法について、詳細は後述するが、杭４を垂直に打ち込むことから、本発明者はバーチカル型と呼んでいる。
【００１４】
図１に示すように、主要な第１工程（図１のステップＳ１）として、施工者は根鉢１の根巻きを解いて樹木１０の主根２を露出させる。この主根２を露出させる工程は、後述するように杭４と主根２とを紐５で結束できるようにするためである。具体的には、本実施形態では図３に示すように根鉢１を貫通するように杭４を垂直に打ち込むことから、根鉢１の表面側から土を削って主根２を露出させることになる。したがって、根鉢１の根巻きが邪魔にならなければ、根巻きを解く必要はない。また、主根２の露出は、根巻きを解いて行う以外に、根回し作業の段階で露出させておいてもよい。
【００１５】
そして、主根２を５ｃｍ程度剥皮して細根（図示せず）が出易いようにし、細根は先端を切断して成長し易いようにする。施工者は剥離や切断した箇所に発根促進剤を塗布する。次に、樹木１０を植穴３に設置する。主根２の選定は、樹木１０の種類や樹木１０や根の大きさや位置などを考慮して、４本〜６本が選ばれる。
【００１６】
主要な第２工程（図１のステップＳ２）として、施工者は、杭４を主根２と近接する位置で植穴３に垂直に打ち込む。これにより、杭４は根鉢１を貫通し、植穴３の底から地中深くにまで達する。杭４の寸法は、たとえば、Ｃ５０ｃｍ〜１００ｃｍ（Ｃはその樹木の根鉢の上端より１．２ｍ上りの位置における幹の周長をいう。）で全長１．８ｍ×直径８ｃｍ、Ｃ１００ｃｍ〜Ｃ３００ｃｍで全長２ｍ×直径８ｃｍとする。また、この杭４は杉の間伐材やケヤキの伐採材などの木材で、防腐剤の処理を行ったものである。なお、このような杭４が好ましいが、金属製や樹脂製の杭４を用いることもできる。
【００１７】
図４に示すように、杭４は先端が円錐形であり、先端の径は末端の径よりも太くなっており、抜け難い。そして、杭４には主根２の一部が係合する切欠き４１が形成されている。切欠き４１の大きさや形状は、特に主根２の大きさや形状に適合するように形成される。例えば、主根２が直径１０ｃｍの円形であれば、切欠き４１は深さを２ｃｍ（図４のＤ）の半径５ｃｍの円弧の切欠き４１にする。このときの溝の幅は約８ｃｍ（図４のＷ）となる。この切欠き４１により、主根２と杭４とを結束した際、主根２が杭４から外れ難くなる。
【００１８】
また、杭４が植穴３に叩打で圧入される先端部には杭４の軸４３と直行する方向に複数の横溝４２が全周に渡って形成されている。これにより、杭４が３〜５倍抜け難くなる。この横溝４２の形状は図４のような円弧形に限定するものではない。例えば、図５の変形例に示すような杭４Ａの先端方向が底辺となる三角形の横溝４２Ａでもよい。この三角形の横溝４２Ａには面取りＲが施されて折れにくくなっている。なお、図４や図５のように、横溝４２、４２Ａは必ずしも杭４の全周にわたって設けておく必要はない。また、杭４は円柱状のものを示しているが、角柱状のものでも構わない。
【００１９】
このように、杭４は、軸４３と直交する方向に複数の横溝４２が形成された構成となっている。このような本実施形態の杭４は、本発明の植樹の支持施工方法に用いる杭としてだけでなく、背景技術でも説明した鳥居支柱のように地表での樹木支持に用いることで、風などによる樹木の揺れに対しても非常に抜け難く、樹木を強固に支持することができるしたがって、杭４は、樹木支持の専用杭として幅広く用いることができる。
【００２０】
主要な第３工程（図１のステップＳ３）として、施工者は主根２を杭４の切欠き４１に係合させて紐５で結束する。結束する紐５は、ビニール製の紐でもよいが、麻縄のような地中で分解する紐が好ましい。また、主根２と杭４を紐５で結ぶ際には、図２、３に示すように、主根２の保護のために主根２に木皮６（たとえば、杉皮）を巻き、主根２の先端から１０ｃｍ位のところを結束するとよい。なお、主根２と杭４とを結束してしまえば、杭４の結束位置よりも上は必ずしも必要ではないので、杭４の上部を切断しても構わない。とくに地表に杭４が露出するような場合には、美観的な面から杭４の露出部分を切断しておくのがよい。
【００２１】
そして、根鉢１の周囲に土を入れて根鉢１を植穴３に埋設する。土は根との隙間を無くすために泥が好ましい。この後、施工者は埋設した根鉢１の上に防根シート７を敷いて、根が地表側に伸びるのを低減させる。また、必要に応じて、タイルなどの地表層８を形成する。地表層８は雨が樹木１０側に流れるように形成するのが好ましい。
【００２２】
根鉢１により植樹された樹木１０は、根がまだ生育していないので、十分な支持力を備えていない。たとえば、風によって樹木１０が繰り返し揺れることによって樹木１０と土の間の隙間が次第に大きくなり、栄養を吸収する細根が切断して樹木１０が弱る。また、暴風雨のときは、雨によって土が弱くなり、そこへ樹木１０は大きな横風を受けて根の切断や倒壊が生じる恐れがある。本来、樹木１０は自身の根が支持するという考えから、本発明は土混じりの根鉢１を支持するという発想ではなく、直接主根２を杭４で保持することで、樹木１０自身の根で直接支持するという考えに近く、土の弱さを補うことができる。
【００２３】
なお、バーチカル型と呼んでいる本実施形態の植樹の支持施工方法は、図２、３に示すように、杭４が根鉢１内部を貫通するように打ち込まれているが、例えば、杭４が根鉢１の外周に沿って植穴３に垂直に打ち込まれていてもよい。このようにして杭４を打ち込む場合には、根鉢１の表面側から土を削って主根２を露出させる必要はなく、根鉢１の側面から主根２を露出させて、結束することになる。
【００２４】
また、本実地形態の植樹の支持施工方法は、様々な樹木の植樹に適用できるが、杭４を垂直に打ち込むことから、根鉢１の上部側に主根２がある樹木が適しており、例えば地表に沿って根が伸びる水平根の樹木に適している。
【００２５】
また、後述する他の実施形態を含め、本実施形態の植樹の支持施工方法は、ステップＳ３の主根２を杭４に結束する第３工程が非常に重要である。そのため、本実施形態の植樹の支持施工方法は、施工現場における状況などによっては、樹木１０を植穴３に設置した後、まずステップＳ２の杭４を植穴３に打ち込む第２工程を行い、その後でステップＳ１の根鉢１から主根２を露出させる第１工程を行う順番で行っても構わない。このように、本実施形態の植樹の支持施工方法は、現場の状況などによって柔軟に対応することもできる。
【００２６】
［第２実施形態］
図６、図７を用いて、第２実施形態の植樹の支持施工方法を説明する。第２実施形態の植樹の支持施工方法は第１実施形態の植樹の支持施工方法と杭４の打ち込み方向が異なる。第２実施形態の杭４の打ち込み方向は垂直であったが、第２実施形態の杭４の打ち込み方向は斜めであり、杭４の打ち込み方向が、各杭４が地中に向かって離れて広がっていくようになっている。つまり、樹木１０の中心から離間する方向に杭打ちされている。第２実施形態における支持施工方法について、打ち込まれた杭４の形状から、本発明者はドレス型と呼んでいる。
【００２７】
本実施形態においても、施工者は、まず根鉢１から主根２を露出させ、植穴３に設置する。そして、施工者は、杭４を植穴３に斜め方向に打ち込み、主根２と杭４とを紐５で結束し、植穴３に土を埋め戻すことになる。なお、図７では、杭４が根鉢１の内部を貫通しているが根鉢１内の主根２などの根を傷めないよう、根鉢１の側面に沿うように打ち込むこともできる。
【００２８】
この杭打ち方向は山桃、楠、けやき等の根を広げ易い樹木１０に対して有効である。また、主根２が根鉢１の斜め方向に伸びる傾斜根のような樹木１０にも有効である。
【００２９】
また、本実施形態の植樹の支持施工方法は、地表での植樹の支持方法として知られている八ツ掛支柱を、地中で行う発想に似ている。そのため、十分に杭４が広がるように打ち込むことができる広い場所での植樹にも適している。
【００３０】
そして、複数の杭４が斜め方向に打ち込まれ、またそれぞれ異なる方向に打ち込まれるので杭４が抜け難く、非常に強固に樹木１０を支持することができる。なお、杭４を束ねている位置が図７では地表に位置しているが、地中に位置してもよい。
【００３１】
［第３実施形態］
図８を用いて、第３実施形態の植樹の支持施工方法を説明する。第３実施形態の植樹の支持施工方法は第２実施形態の植樹の支持施工方法と杭４の打ち込み方向が異なる。
【００３２】
つまり、杭４の打ち込み方向が斜めである点は、第２実施形態の植樹の支持施工方法と同じであるが、広がる方向では無い点が異なる。具体的には、杭４の打ち込み方向は、図８に示すように地中に向かうにつれて、樹木１０の中心線の延長線上に集まる方向となっている。また、杭４の打ち込み方向が、例えば、互いにねじれていくような方向であってもよい。なお、第３実施形態における支持施工方法について、打ち込まれた杭４の形状から、本発明者はツイスト型と呼んでいる。
【００３３】
本実施形態においても、施工者は、まず根鉢１から主根２を露出させ、植穴３に設置する。そして、施工者は、杭４を植穴３に斜め方向に打ち込み、主根２と杭４とを紐５で結束し、植穴３に土を埋め戻すことになる。なお、図８では、杭４が根鉢１の内部を貫通しているようにも見えるが、本実施形態では根鉢１の内部に杭４は貫通しておらず、根鉢の１の側面に沿うように斜めに打ち込んでいる。
【００３４】
この杭打ち方向はマキの木、カイズカ、松、楓等の根を広げ難い樹木１０に対して有効である。また、主根２が地中深く下に向かって伸びる垂下根のような樹木１０にも有効である。更には杭４を広げて打ち込むことができないような狭い場所での植樹であって、強い支持力が望まれるような場合に、本実施形態の植樹の支持施工方法を適用することができる。本実施形態において、複数の杭４が斜め方向に打ち込まれ、またそれぞれ異なる方向に打ち込まれるので杭４が抜け難く、非常に強固に樹木１０を支持することができる
【００３５】
なお、第２実施形態と第３実施形態の植樹の支持施工方法は、杭９が垂直に打ち込まれた第１実施形態の植樹の支持施工方法と異なり、杭９が斜め方向に打ち込まれていることを特徴としている。この時、全ての杭４が同じ傾斜方向に打ち込まれていると、杭４の抜ける方向に風が吹いた場合に、全ての杭４が抜けやすくなり樹木１０が倒れやすくなってしまう。したがって、杭９を斜め方向に打ち込む際には、第２実施形態や第３実施形態のように互いに異なる斜め方向に打ち込むことが好ましい。
【００３６】
［第４実施形態］
図９、図１０を用いて、第４実施形態の植樹の支持施工方法を説明する。また、図１１は、第４実施形態の植樹の支持施工方法を実践した際の写真であり、図１１の写真を適宜参照する。
【００３７】
第４実施形態の植樹の支持施工方法は第１実施形態の植樹の支持施工方法に架台９を追加したものである。架台９は木製の２本の横部材９１と、２本の縦部材９２と、２本の押え部材９３と、架台９用の４本の杭９４と、これらの部材を結束する紐９５と、根鉢１を架台に支持する縄９６からなる。
【００３８】
図９、図１０に示すように、施工者は２本の横部材９１の上に２本の縦部材９２を矩形状に重ねて、紐９５で結束する。このとき、縦部材９２の間隔を根鉢１が載置できような距離にする。架台９用の杭９４を植穴３に打ち込んで（図１１（Ａ）を参照）、架台９用の横部材９１を紐９５で結束する。
【００３９】
根鉢１を縦部材９２に載置し（図１１（Ｂ）を参照）、主根２を露出（主要な第１工程）する。そして杭４を植穴３に打ち込み（主要な第２工程）、主根２を杭４に結束する（主要な第３工程）（図１１（Ｃ）を参照）。なお、本実施形態では、施工者は、図３のように根鉢１内部を貫通するように杭４を垂直に打ち込むのではなく、杭４を根鉢１の外周に沿って植穴３に垂直に打ち込んでいる。
【００４０】
そして、２本の押え部材９３を横部材９１と平行に根鉢１の上に載置して（図１１（Ｄ）を参照）、押え部材９３と横部材９１の両端をそれぞれ２箇所縄９６で結束する。そして、押え部材９３と横部材９１間のそれぞれ２箇所の垂直な縄９６を別の縄で水平方向に束ねておく（図１１（Ｅ）を参照）。これにより、押え部材９３と横部材９１間が強力な力で引っ張られて押え部材９３と横部材９１が僅かに撓む。この撓みによって、樹木が風により揺れた時に、根鉢１が崩れて支柱に緩みか生じるのを低減することができる。なお、抑え部材９３と横部材９１との間で根鉢１を挟み込む本工法を、本発明者は根鉢ガード工法と呼んでいる。
【００４１】
最後に施工者は、植穴３に土を埋め戻して、本実施形態の植樹の支持施工方法が終了する。なお、図１１に示す樹木は高さ４ｍ程度であるが、図１１（Ｆ）に示すように、植樹した後、試しにクレーン車で樹木１０を引っ張り上げてみたところ５トン程度の力では、樹木１０が多少浮く程度であり、非常に強固に支持できていた。
【００４２】
このように、本実施形態の植樹の支持施工方法は、より強固に樹木１０を支持することができる。本実施形態の支持施工方法は、砂地などの地盤が弱い場所や、風が強い場所などに適用することができる。なお、抑え部材９３と横部材９１との間で根鉢１を挟み込む代わりに、抑え部材９３を用いないで、杭４同士を互いに結ぶようにしてもよい。また、図１１では施工現場で架台９を組み立てながら作業を行ったが、樹木１０の根鉢１と架台９とを別の場所で一体にしておき、一体にしたものを施工現場へ運び込んで植樹を行っても構わない。
【符号の説明】
【００４３】
１０  樹木
１  根鉢
２  主根
３  植穴
４、４Ａ  杭
４１  切欠き
４２、４２Ａ  横溝
４３  軸
７  防根シート
８  地表層
９  架台
【図１】
2018174817.tif 000003
【図２】
2018174817.tif 000004
【図３】
2018174817.tif 000005
【図４】
2018174817.tif 000006
【図５】
2018174817.tif 000007
【図６】
2018174817.tif 000008
【図７】
2018174817.tif 000009
【図８】
2018174817.tif 000010
【図９】
2018174817.tif 000011
【図１０】
2018174817.tif 000012
【図１１】
2018174817.tif 000013